(57)【要約】【課題】広いコンクリートパネルを狭いスペースでも、切り屑を徒に飛散させることなく、さらには市販されている電動丸鋸の大小、種類、タイプ等に関係なく切断することができる、コンクリートパネル切断用作業台を提供する。【解決手段】  縦型のワーク受部材（１）と、コンクリートパネルを挟持する同様な縦型のワーク押部材（１０）と、挟持されたコンクリートパネルをワーク受部材（１）に固定するためのワーク固定装置（３０）とから構成する。ワーク押部材（１０）にはフック（２２）を、そしてワーク受部材（１）にはフック受け（５）を設ける。ワーク押部材（１０）には、電動丸鋸（Ｍ）が沿って移動する基準面（２０）を設ける。これにより、市販されている電動丸鋸の大小、種類、タイプ等に関係なく切断することができる。【選択図】  図１
2006137121.tif 000002
【特許請求の範囲】
【請求項１】
立てた状態で使用されるようになっている縦型のワーク受部材と、該ワーク受部材と共働してコンクリートパネルを挟持する同様な縦型のワーク押部材と、挟持されたコンクリートパネルを前記ワーク受部材に固定するためのワーク固定装置とからなる電動丸鋸用の作業台であって、
前記ワーク受部材とワーク押部材の、いずれか一方にはフックが、そして他方にはフック受けが設けられ、それによって前記ワーク押部材は前記ワーク受部材に対して脱着自在になっていると共に、前記ワーク押部材には、電動丸鋸が沿って移動する基準面が設けられている、コンクリートパネル切断用作業台。
【請求項２】
請求項１に記載の作業台において、ワーク押部材には横方向にスライド可能な定規が設けられているコンクリートパネル切断用作業台。
【請求項３】
請求項１に記載の作業台において、ワーク固定装置が、ワーク押部材にネジ込まれるネジと、該ネジの先端部に取り付けられコンクリートパネルを前記ワーク受部材に押し付けるワーク固定プレートとからなるコンクリートパネル切断用作業台。
【請求項４】
請求項１に記載の作業台において、ワーク受部材とワーク押部材が横方向に二つ折り可能な下方部材と上方部材の２部材からからなっていると共に、前記下上部材のそれぞれに定規とワーク固定装置が設けられているコンクリートパネル切断用作業台。
【発明の詳細な説明】
【技術分野】
【０００１】
本発明は、立てた状態で使用されるようになっている縦型のワーク受部材と、このワーク受部材と共働してコンクリートパネルを挟持する同様な縦型のワーク押部材と、挟持されたコンクリートパネルを上記ワーク受部材に固定するためのワーク固定装置とからなるコンクリート切断用作業台に関するものである。
【背景技術】
【０００２】
セメント、砂、砂利等の混合物に水を加えて練って得られるコンクリートは、圧縮強度が大きく、また耐火性、断熱性等に優れているので、建築材料あるいは建設材料として有効に利用されている。コンクリートは、従来周知のように所定形状に組み立てられた型枠に流し込まれ、所定時間養生されるようになっている。このような型枠の材料は、特許文献１に示されている木製コンクリートパネル、同文献２に示されている軽量気泡コンクリートパネル等が知られ、また特許文献３により木製合板上に、ポリオレフイン系樹脂と短繊維とからなるシートを貼着したコンクリートパネルも提案されている。
【０００３】
【特許文献１】特開２００３−１８４３０３
【特許文献２】特開２００４−１５４９７１
【特許文献３】特開平６−２００６１８号公報
【０００４】
上記のようなコンクリートパネルは、一般に工場において所定大きさに製造され、そして市販されている。したがって、ユーザは所定大きさのコンクリートパネルを購入し、そして建築現場において所定大きさに切断し、そして壁、柱等に釘などにより打ち付けると、所望形状の型枠を形成することができる。コンクリートパネルの切断にあたっては、一般にコンクリートパネルを寝かせ、そしてカットラインを墨により線引きし、この線引きラインに沿って電動丸鋸を移動させながら切断されている。
【発明の開示】
【発明が解決しようとする課題】
【０００５】
上記のように、色々な材質からなるコンクリートパネルが市販されているので、使用目的に応じた材質のコンクリートパネルを購入し、そして建築現場において切断するだけで、現物に合った型枠を形成できるというメリットがある。しかしながら、欠点もある。例えば都心部においては建築現場は狭いので、コンクリートパネルを寝かせて切断するスペースが確保できない状況下にある。スペースがないと、現場において現物に合わせて切断する利点が生かせないことになる。また、スペースは確保できても寝かせて切断すると、切り屑の飛散範囲が広くなり、後かたづけに時間が掛かる問題もある。さらには、コンクリートパネルにカットラインを墨引きしなければならない煩わしさもある。
本発明は、上記したような従来の問題点あるいは欠点を解消したコンクリートパネルのカット法すなわちコンクリートパネル切断用作業台を提供することを目的としている。具体的には、広いコンクリートパネルを狭いスペースでも、切り屑を徒に飛散させることなく、さらには市販されている電動丸鋸の大小、種類、タイプ等に関係なく対応でき、格別に墨入れをすることなく切断することができる、コンクリートパネル切断用作業台を提供することを目的としている。
【課題を解決するための手段】
【０００６】
本発明は、上記目的を達成するために、縦型のワーク受部材と、このワーク受部材に着脱自在に取り付けられる同様な縦型のワーク押部材とから構成される。また、ワーク受部材には、立てたときに横方向にスライド可能に定規が設けられる。さらには、ワーク受部材とワーク押部材は、望ましくは二つ折りに構成される。また、ワーク押部材には、電動丸鋸が沿って移動する基準面が設けられている。
【０００７】
かくして、請求項１に記載の発明は、上記目的を達成するために、立てた状態で使用されるようになっている縦型のワーク受部材と、該ワーク受部材と共働してコンクリートパネルを挟持する同様な縦型のワーク押部材と、挟持されたコンクリートパネルを前記ワーク受部材に固定するためのワーク固定装置とからなる電動丸鋸用の作業台であって、前記ワーク受部材とワーク押部材の、いずれか一方にはフックが、そして他方にはフック受けが設けられ、それによって前記ワーク押部材は前記ワーク受部材に対して脱着自在になっていると共に、前記ワーク押部材には、電動丸鋸が沿って移動する基準面が設けられるように構成される。  請求項２に記載の発明は、請求項１に記載の作業台において、ワーク押部材には横方向にスライド可能な定規が設けられ、請求項３に記載の発明は、請求項１に記載の作業台において、ワーク固定装置が、ワーク押部材にネジ込まれるネジと、該ネジの先端部に取り付けられコンクリートパネルを前記ワーク受部材に押し付けるワーク固定プレートとからなり、そして請求項４に記載の発明は、請求項１に記載の作業台において、ワーク受部材とワーク押部材が横方向に二つ折り可能な下方部材と上方部材の２部材からからなっていると共に、前記下上部材のそれぞれに定規とワーク固定装置が設けられている。
【発明の効果】
【０００８】
以上のように、本発明による作業台は、立てた状態で使用されるようになっている縦型のワーク受部材と、該ワーク受部材と共働してコンクリートパネルを挟持する同様な縦型のワーク押部材と、挟持されたコンクリートパネルを前記ワーク受部材に固定するためのワーク固定装置とから構成されているので、すなわちワーク受部材とワーク押部材は、縦型になっているので、広いコンクリートパネルを狭いスペースでワーク受部材とワーク押部材とにより立てた状態で材挟、固定して、そして切断することができるという、本発明に特有の効果が得られる。また、立てた状態で切断することができるので、切り屑の飛散範囲が狭い。したがって、切り屑の清掃が楽になる効果も得られる。また、ワーク押部材はワーク受部材に対してフックとフック受けとにより脱着自在になっているので、作業性も良い。さらには、ワーク押部材には、電動丸鋸が沿って移動する基準面が設けられるので、この基準面沿わせて電動丸鋸を移動させるだけで、どのようなタイプの電動丸鋸を使用する場合でも、従来のように墨で線引きすることなく、切断できる。請求項２に記載の発明によると、ワーク押部材には横方向にスライド可能な定規が設けられているので、上記のような効果に加えて、備わっている定規を利用して所定寸法に切断することができる効果がさらに得られる。請求項３に記載の発明によると、ワーク固定装置がワーク押部材にネジ込まれるネジと該ネジの先端部に取り付けられコンクリートパネルを前記ワーク受部材に押し付けるワーク固定プレートとからなっているので、ネジを例えばハンドルで操作するだけで、コンクリートパネルをワーク受部材に固定し、また外すことができる効果が得られ、請求項４に記載の発明によると、ワーク受部材とワーク押部材が横方向に二つ折り可能な下方部材と上方部材の２部材からからなっているので、保管、持ち運び等が楽になる効果がさらに得られ、また下上部材のそれぞれに定規とワーク固定装置とが設けられているので、すなわち２点で計測あるいは固定することができるので、コンクリートパネルの計測はより正確に、また固定はより確実になる。
【発明を実施するための最良の形態】
【０００９】
以下、図１〜３により本発明の実施の形態について説明する。本実施の形態に係わる作業台は、図１に示されているように、概略的には、通常は立てて使用される縦型のワーク受部材１と、このワーク受部材１に着脱自在に取り付けられるワーク押部材１０とから構成されている。そして、図３に示されているようにして使用されるようになっている。
【００１０】
ワーク受部材１は、図１の（イ）に示されているように、所定面積の底面を有する台座２と、同様に所定面積の天板４と、台座２と天板４とを結合している板状の上下のワーク受け板６、７とから構成されている。台座２は、作業現場の床面Ｒの上に載置される部分で比較的重量があり、実質的に立方形を呈している。そして、その長辺側の側部から下部ワーク受け板６が所定高さまで立ち上がっている。天板４も概略的には方形を呈し、その長辺側の側部から上部ワーク受け板７が所定位置まで下がっている。したがって、図１の（イ）は上下のワーク受け板６、７を延ばした状態でワーク受部材１を示す斜視図であるが、ワーク受部材１は側面的に見ると略コ字形をしている。このような上下のワーク受け板６、７は、図には示されていないが、図１の（イ）において裏側において複数個の蝶番により結合されている。したがって、ワーク受部材１は、上下のワーク受け板６、７の当接部において矢印Ａで示されている方向に折り畳みが可能である。このように構成されている下部ワーク受け板６には、該ワーク受け板６を横切る方向に下部定規８が横方向にスライド可能に設けられている。同様に上部ワーク受け板７には、上部定規９が横方向にスライド自在に設けられている。
【００１１】
台座２の前面には、所定の間隔をおいて一対の鍵型のフック穴３、３が形成されている。これらのフック穴３、３は、図２の（イ）の側断面図に示されているように、鍵型のメクラ穴になって、後述するワーク押部材１０のワーク押え板に取り付けられている下部フックが挿入されるようになっている。天板４の上面には、図示の実施の形態では２個のフック掛け溝５、５が形成されている。これらのフック掛け溝５、５に、ワーク押部材１０に取り付けられている上部フックが掛けられる。
【００１２】
ワーク押部材１０は、図１の（ロ）に示されているように、下部ワーク押え板１１と、上部ワーク押え板１２とからなっている。これらの上下ワーク押え板１２、１１は、略平板状を呈するが、図１の（ロ）において見える側すなわち表側は、縦方向の中央部は肉厚部１３、１３になっている。そして、ワーク押え板１１、１２は、肉厚部１３、１３において蝶番１４、１４により結合されている。したがって、上下部のワーク押え板１２、１１は、矢印Ｂで示されている方向に折り畳み可能である。また、これらのワーク押え板１２、１１に跨ってロック装置１５が設けられている。このロック装置１５により、上下のワーク押え板１２、１１は伸ばした状態に維持される。このような肉厚部１３、１３には、ワーク固定装置のネジが螺合する雌ネジ１７、１７が形成され、さらには取っ手１８、１８も取り付けられている。なお、肉厚部１３、１３の側面は工具すなわち電動丸鋸が移動する基準面２０、２０となっている。
【００１３】
このように構成されている下部ワーク押え板１１の裏面側には、ワーク受部材１のフック穴３、３に対応して、図２の（イ）に示されているように、一対の下部フック２１、２１が設けられている。また、上部ワーク押え板１２の頂部には、フック掛け溝５、５に対応した鍵型に曲がった上部フック２２、２２が取り付けられている。これらの上部フック２２、２２は金属から構成され、弾性を有する。したがって、ワーク押部材１０を弾性的にワーク受部材１に係止することができ、また取り外すことができる。本実施の形態による作業台には、図２の（ロ）に示されているように、ワーク固定装置３０も備えている。ワーク固定装置３０は、ワーク固定ネジ３１，このネジ３１の先端部に多少の遊びをもって取り付けられているワーク固定プレート３２、ワーク固定ネジ３１の頭部に取り付けられているクランクハンドル３３、ワーク固定ネジ３１に螺合しているロックナット３４、座金３５等からなっている。また、図３に示されている補助台３４も備えている。この補助台３６によりコンクリートパネルＰのはみ出した部分が支持される。
【００１４】
次に、上記実施の形態の作用に付いて説明する。ワーク受部材１と、ワーク押部材１０はフック３、３、２１、２１、５、５、２２、２２を外して分離し、そしてそれぞれを折り畳んだ状態で保管しておく。建築現場に運んで、ワーク受部材１の上下のワーク受け板７、６を伸ばす。同様にワーク押部材１０の上下のワーク押し板１２、１１を伸ばし、そしてロック装置１５により伸ばした状態にロックする。ワーク受部材１を図１の（イ）に示されているように立て、そして台座２と天板４との間にコンクリートパネルＰを建てかける。次いで、ワーク押部材１０の下部ワーク押え板１１の下部フック２１、２１を、図２の（イ）に示されているように、ワーク受部材１のフック穴３、３に挿入し、そして上部ワーク押え板１２の上部フック２２、２２をワーク受部材１のフック掛け溝５、５に掛ける。このようにして、コンクリートパネルＰをワーク受部材１とワーク押部材１０とにより挟持している状態が図３の（イ）に示されている。必要に応じて付属している補助台３６によりはみ出しているコンクリートパネルＰを支持する。
【００１５】
次いで、クランクハンドル３３を利用してワーク固定ネジ３１をワーク押部材１０の肉厚部１３に形成されている雌ネジ１７にネジ込む。そうすると、ワーク固定プレート３２がコンクリートパネルＰをワーク受部材１の上下のワーク受け板７，６に押し付け、固定する。このようにしてコンクリートパネルＰが固定されている状態が図２の（ロ）あるいは図３の（イ）に示されている。
【００１６】
電動丸鋸Ｍは、図３の（ロ）に示されているように付属的に定規Ｓを備えている。したがって、定規Ｓの先端部をワーク押部材１０の基準面２０に沿って移動させながら丸鋸ＥＳでコンクリートパネルＰと共に、ワーク押部材１０の上下のワーク押え板１２、１１の外側およびワーク受部材１の上下のワーク受け板７、６の外側の余分な部分を切り落とす。切り落とす準備をしている状態が図３の（ロ）に示されている。電動丸鋸を購入後、切り落とすことにより、その電動丸鋸Ｍの基準Ｌが出る。すなわち、どのようなメーカの電動丸鋸にも対応できるようになる。以下、コンクリートパネルＰを上下の定規９、８により位置を合わせ、そして電動丸鋸Ｍを基準面２０に沿って移動させながら、所定大きさに切断する。切断したコンクリートパネルで型枠を作る。
【００１７】
本発明は、上記実施の形態に制限されることなく色々な形で実施できる。例えば、ワーク受部材と、ワーク押部材は二つ折りの構造になっているが、市販のコンクリートパネルは所定大きさになっているので、ワーク受部材とワーク押部材を抜き差し自在に構成し、伸ばしたときに規定の長さになるように構成することもできる。また、二つ折り構造にすることなく、一体構造でも実施できることは明らかである。さらには、上記実施の形態では、定規は上下に間隔をおいて２本設けられているので、角度あるいは精度が出しやすく、より正確に計測できるが、１本の定規あるいは格別に定規も設けることなく、実施できることも明らかである。また、ワーク固定装置についても同様である。
【図面の簡単な説明】
【００１８】
【図１】本発明の実施の形態を示す図で、その（イ）はワーク受部材の斜視図、その（ロ）はワーク押部材の斜視図である。
【図２】本発明の実施の形態の細部を示す図で、その（イ）はワーク受部材のフック穴にワーク押部材のフックが係止している状態を示す断面図、その（ロ）はワーク固定装置によりコンクリートパネルがワーク受け板に押し付け固定されている状態を示す断面図である。
【図３】本発明の実施の形態の使用状態を示す図で、その（イ）はコンクリートパネルを挟んだ状態で示す斜視図、その（ロ）は準備状態を示す断面図である。
【符号の説明】
【００１９】
１      ワーク受部材                ３      フック穴
５      フック掛け溝                ６      下部ワーク受け板
７      上部ワーク受け板            ８      下部定規
９      上部定規                  １０      ワーク押部材
１１      下部ワーク押さえ板        １２      上部ワーク押さえ板
１４      蝶番                      １７      雌ネジ
２０      基準面                    ２１      下部フック
２２      上部フック                ３０      ワーク固定装置
３１      ワーク固定ネジ            ３２      ワーク固定プレート
３３      クランクハンドル
Ｐ      コンクリートパネル          Ｍ      電動丸鋸
【図１】
2006137121.tif 000003
【図２】
2006137121.tif 000004
【図３】
2006137121.tif 000005